(57)【特許請求の範囲】
【請求項１】
略Ｌ字型に形成され、軒樋を嵌合可能な軒樋嵌合部が両端に設けられている曲り継手本体と、この曲り継手本体を支持する支持具とからなる曲り継手であって、
前記曲り継手本体には、屋外側角部の上端部に係止孔を有する屋外側係止部と、屋内側角部の上端部に係止爪を有する屋内側係止部とが設けられ、
前記支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられ、
曲り継手本体の係止孔に支持具の屋外側角部保持部が差し込まれ、曲り継手本体の係止爪が支持具の係止片に引っ掛けられて、曲り継手本体が支持具に係止されることを特徴とする曲り継手。
【請求項２】
曲り継手本体の屋外側角部の上端部の係止孔の屋外側で、互いに直交する側壁間に、三角形状の小板が設けられ、支持具の屋外側角部保持部の屋外側端面に、屋外側方に向けて断面形状がＴ字形部材が設けられて、このＴ字形部材の縦材が横材より屋外側に突き出ていることを特徴とする請求項１記載の曲り継手。
【請求項３】
屋外側角部保持部の屋外側端面が円弧状になされていることを特徴とする請求項１及び請求項２記載の曲り継手。
【請求項４】
支持具の固定部は二股に分けられ、この二股に分けられた固定部の一片と他片に取付孔が開けられ、一片の取付孔の位置と他片の取付孔の位置とが垂直方向にずれていることを特徴とする請求項１乃至請求項３記載の曲り継手。
【請求項５】
支持具の固定部は二股に分けられ、この二股に分けられた固定部の根元部分で、一片と他片との内側面と、軒先の取付面とに隙間が設けられていることを特徴とする請求項１乃至請求項４記載の曲り継手。
【請求項６】
略Ｌ字型に形成され、軒樋を嵌合可能な軒樋嵌合部が両端に設けられている曲り継手本体と、この曲り継手本体を支持する支持具とからなる曲り継手であって、
前記曲り継手本体には、屋外側角部の上端部に屋内側角部に向けて先端部が二股に分かれた屋外側係止部と、屋内側角部の上端部に係止爪を有する屋内側係止部とが設けられ、
前記支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられ、屋外側角部保持部は腕部方向のほぼ中央部にスリットが設けられ、
曲り継手本体の屋外側係止部が下方から屋外側角部保持部のスリットに差し込まれ、曲り継手本体の係止爪が支持具の係止片に引っ掛けられて、曲り継手本体が支持具に係止されることを特徴とする曲り継手。
【請求項７】
屋外側角部保持部は腕部方向のほぼ中央部のスリットの内側に突部が設けられていることを特徴とする請求項６記載の曲り継手。
【発明の詳細な説明】
【０００１】
【発明の属する技術分野】
本発明は、家屋の軒先に設けられる曲り継手に関する。
【０００２】
【従来の技術】
従来、軒先の軒樋同士を接続する曲り継手としては、例えば、実開平３−８２７３８号公報と、又、曲り継手の支持具としては、例えば、実開平６−７９９３６号公報に記載されているようなものがある。
前者の実開平３−８２７３８号公報に記載の曲り継手は、略Ｌ字型に形成され、軒樋を嵌合可能な軒樋嵌合部が両端に設けられ、軒樋嵌合部の内周面にパッキングと、略Ｌ字に形成された曲り継手の入隅側の一片と他片の外壁面に係止具とが設けられているものである。
【０００３】
この曲り継手は、曲り継手の入隅側（屋内側）の一片と他片の外壁面に設けられた係止具を、軒先の出隅部に一片と他片に取り付けられた取付金具に取り付け、曲り継手の軒樋嵌合部に軒樋の両耳部を嵌めて、軒樋嵌合部の内周面に設けられられたパッキングで側壁や底部からの漏水を防ぎ、軒樋と曲り継手とを接続しているもので、簡単な構造で、使い易いものである。
【０００４】
後者の実開平６−７９９３６号公報に記載の曲り継手の支持具は、固定部と、この固定部から屋外方向に長く突出した腕部と、腕部の屋外側先端に２個の屋外側保持部と、この屋外側角部保持部より屋内側に屋内側角部の２個の屋内側係止部とが設けられているものである。
この曲り継手の支持具は、曲り継手の屋外側耳部を外側から２個の屋外側保持部に嵌め込み、屋内側耳部を２個の屋内側係止部に嵌め込み、固定部を軒先の出隅部に取り付けて曲り継手を支持具で支持しているもので、簡単な構造で、使い易いものである。
【０００５】
【発明が解決しようとする課題】
ところが、軒樋は、気温の変化に伴って、軒樋の長さ方向や幅方向に伸縮し、軒樋の伸縮に伴って曲り継手も伸縮し、軒樋や曲り継手が変形することがある。
上記の実開平３−８２７３８号公報に記載の曲り継手は、曲り継手の入隅側（屋内側）の外壁面が軒先の出隅部に繋がれ、固定しているもので、曲り継手の出隅側（屋外側）は固定されておらず、曲り継手の出隅側（屋外側）で気温の変化に伴って伸縮し、変形することがあり、軒樋嵌合部に隙間ができ、漏水するという問題がある。
【０００６】
又、実開平６−７９９３６号公報に記載の曲り継手の支持具は、曲り継手の入隅側（屋内側）と出隅側（屋外側）でしっかりと曲り継手を支持しているが、曲り継手の入隅側（屋内側）と出隅側（屋外側）のそれぞれ２箇所で曲り継手の耳部を掴んで支持しているため、支持具自体が大きくなり、嵩張って持ち運びに手間が掛かるという問題があり、又、伸縮による変形で掴んでいる耳部が外れることがあるという問題がある。
【０００７】
そこで、本発明の目的は、上記のような問題に着目し、温度変化があっても、曲り継手の入隅側（屋内側）と出隅側（屋外側）で変形し軒樋嵌合部に隙間ができず漏水せず、掴んでいる耳部が外れず、嵩張らず持ち運びに手間が掛からない曲り継手を提供するものである。
【０００８】
【課題を解決するための手段】
本発明は上記の目的を達成するためになされたもので、請求項１記載の発明は、略Ｌ字型に形成され、軒樋を嵌合可能な軒樋嵌合部が両端に設けられている曲り継手本体と、この曲り継手本体を支持する支持具とからなる曲り継手であって、曲り継手本体には、屋外側角部の上端部に係止孔を有する屋外側係止部と、屋内側角部の上端部に係止爪を有する屋内側係止部とが設けられ、支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられ、曲り継手本体の係止孔に支持具の屋外側角部保持部が差し込まれ、曲り継手本体の係止爪が支持具の係止片に引っ掛けられて、曲り継手本体が支持具に係止されるものである。
【０００９】
請求項２記載の発明は、請求項１記載の発明であって、曲り継手本体の屋外側角部の上端部の係止孔の屋外側で、互いに直交する側壁間に、三角形状の小板が設けられ、支持具の屋外側角部保持部の屋外側端面に、屋外側方に向けて断面形状がＴ字形部材が設けられて、このＴ字形部材の縦材が横材より屋外側に突き出ているものである。
【００１０】
請求項３記載の発明は、請求項１記載及び請求項２の発明であって、屋外側角部保持部の屋外側端面が円弧状になされているものである。
【００１１】
請求項４記載の発明は、請求項１乃至請求項３記載の発明であって、支持具の固定部は二股に分けられ、この二股に分けられた固定部の一片と他片に取付孔が開けられ、一片の取付孔の位置と他片の取付孔の位置とが垂直方向にずれているものである。
【００１２】
請求項５記載の発明は、請求項１乃至請求項４記載の発明であって、支持具の固定部は二股に分けられ、この二股に分けられた固定部の根元部分で、一片と他片の内側面と軒先の取付面とに隙間が設けられているものである。
【００１３】
請求項６記載の発明は、略Ｌ字型に形成され、軒樋を嵌合可能な軒樋嵌合部が両端に設けられている曲り継手本体と、この曲り継手本体を支持する支持具とからなる曲り継手であって、曲り継手本体には、屋外側角部の上端部に屋内側角部に向けて先端部が二股に分かれた屋外側係止部と、屋内側角部の上端部に係止爪を有する屋内側係止部とが設けられ、支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられ、屋外側角部保持部は腕部方向のほぼ中央部にスリットが設けられ、曲り継手本体の屋外側係止部が下方から屋外側角部保持部のスリットに差し込まれ、曲り継手本体の係止爪が支持具の係止片に引っ掛けられて、曲り継手本体が支持具に係止されるものである。
【００１４】
請求項７記載の発明は、請求項６記載の発明であって、屋外側角部保持部は腕部方向のほぼ中央部のスリットの内側に突部が設けられているものである。
【００１５】
請求項１記載の発明において、曲り継手本体の両端に設けられている軒樋嵌合部は、軒樋が嵌合でき、軒樋嵌合部から漏水しなければ、適宜の形状でよく、例えば、軒樋嵌合部の内周面のパッキングを設けておくと、軒樋を軒樋嵌合部に嵌め込んだとき、軒樋の端部の側壁及び底面とパッキングとで漏水を防止することができるので、好ましい。
【００１６】
請求項１記載の発明において、曲り継手本体の係止孔を有する屋外側係止部と支持具の腕部の屋外側先端の屋外側角部保持部の形状と構造は、曲り継手本体の係止孔に支持具の腕部の屋外側先端の屋外側角部保持部を下方から差し込んで、屋外側角部保持部を屋外側係止部に引っ掛けて係止できれば、適宜の形状と構造でよい。
例えば、曲り継手本体の屋外側角部の上端部で互いに直交する側壁間を円弧状の小棒で繋ぎ、この小棒と両側壁間に三角形状の開口部を設け、この開口部を係止孔とし、支持具の腕部の屋外側先端に上方に向けた鉤状体を設けて、この鉤状体を屋外側角部保持部とし、この屋外側角部保持部を開口部に下方から差し込んで、鉤状体を小棒に引っ掛けて、屋外側角部保持部を屋外側係止部に係止できるようにすると、簡単な形状と構造であり、好ましい。
【００１７】
請求項１記載の発明において、曲り継手本体の係止爪を有する屋内側係止部と支持具の腕部の係止片の形状と構造は、曲り継手本体の係止爪を支持具の腕部の屋内側の係止片に引っ掛けて係止できれば、適宜の形状と構造でよく、例えば、曲り継手本体の屋内側角部の上端部を外方向に折り曲げて鉤状にし、係止片は支持具の固定部から斜め上向きに屋外方向に突出させ、この係止片に係止爪を引っ掛けて、曲り継手本体の屋内側係止部を支持具の係止片に係止できるようにすると、簡単な形状と構造であり、好ましい。
【００１８】
請求項６記載の発明において、曲り継手本体の屋外側係止部と支持具の腕部の屋外側先端の屋外側角部保持部の形状は、曲り継手本体の屋外側係止部に下方から屋外側角部保持部のスリット部に差し込んで係止することができれば、適宜な形状でよく、例えば、屋外側係止部の形状は、Ｙ字状でもよく、二股部分がほぼ水平になったＴ字状でもよい。
又、屋外側角部保持部の形状は、腕部の屋外側先端部に上方に向けた逆Ｌ字体を設けて、逆Ｌ字体の先端部を屋内側角部に向け、この逆Ｌ字体を屋外側角部保持部とし、この逆Ｌ字体で二股部分を掴むようにして、逆Ｌ字体の先端部の内側面と二股部分の上面とが当接させると、しっかりと支持具の腕部の屋外側角部保持部で曲り継手本体の屋外側係止部を係止することができるので、好ましい。
【００１９】
請求項６記載の発明において、屋外側角部保持部は腕部方向のほぼ中央部にスリット部が設けられているが、このスリット部の長さは、曲り継手本体の屋外側係止部に下方から屋外側角部保持部のスリット部に差し込んで係止することができれば、適宜な長さでよく、例えば、屋外側係止部の二股部分に対応させて、二股部分の長さより若干長くしておくとよい。
【００２０】
請求項６記載の発明において、曲り継手本体の係止爪を有する屋内側係止部と支持具の腕部の係止片の形状と構造は、曲り継手本体の係止爪を支持具の腕部の屋内側の係止片に引っ掛けて係止できれば、適宜の形状と構造でよく、例えば、曲り継手本体の屋内側角部の上端部を外方向に折り曲げて逆Ｌ字状にし、係止片は支持具の固定部から屋外方向に突出させ、この係止片と係止爪とを当接させて、曲り継手本体の屋内側係止部を支持具の係止片に係止できるようにすると、簡単な形状と構造であり、好ましい。
【００２１】
請求項７記載の発明において、突部を設ける位置は、屋外側係止部の二股部分の長さに対応させて、屋外側係止部を回動させながら、曲り継手本体を支持具に取り付ける際、曲り継手本体の屋外側係止部の屋内側角部方向へのすべりを突部でとめることができれば、適宜な場所でよく、例えば、スリット部の屋内側先端部の屋内側角部側近傍に設けておくとよい。
【００２２】
本発明において、曲り継手本体と支持具とは、別個に射出成型法で作ると、美観の点で、好ましい。
【００２３】
（作用）
請求項１記載の発明は、曲り継手本体には、屋外側角部の上端部に係止孔を有する屋外側係止部と、屋内側角部の上端部に係止爪を有する屋内側係止部とが設けられ、支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられているから、曲り継手本体の屋外側角部（出隅部）で曲り継手本体の係止孔に支持具の屋外側角部保持部が差し込み、屋外側角部保持部を屋外側係止部に引っ掛け、曲り継手本体の屋内側角部（入隅部）で曲り継手本体の係止爪を支持具の係止片に引っ掛けることによって、曲り継手本体の屋外側（出隅側）と屋内側（入隅側）とを支持具の屋外側と屋内側のとでしっかりと支持し、気温の変化に伴って起こる変形を抑えることができる。
【００２４】
又、支持具の腕部の屋外側先端の屋外側角部保持部と、屋内側に係止片とが設けられているから、屋外側角部保持部と係止片の２箇所で支持するだけで、しかも、支持具の屋外側角部保持部で曲り継手本体の屋外側係止部を引っ掛け、又、支持具の係止片に曲り継手本体の係止爪を引っ掛けて支持しており、支持する幅も狭くとることができ、支持具自体を小さくすることができる。
【００２５】
請求項２記載の発明は、曲り継手本体の屋外側角部の上端部の係止孔の屋外側で、互いに直交する側壁間に、三角形状の小板が設けられ、支持具の屋外側角部保持部の屋外側端面に、屋外側方に向けて断面形状がＴ字形部材が設けられて、このＴ字形部材の縦材が横材より屋外側に突き出ているから、曲り継手本体の屋外側角部の上端部の係止孔に、支持具の屋外側角部保持部の上端部とＴ字形部材の横材とを嵌め込んで、Ｔ字形部材の縦材の横材より屋外側に突き出ている部分の上面を三角形状の小板の下面に当接することによって、支持具の水平方向の動きが小板と小棒で止めることができる。
又、上方向の動きをＴ字形部材の縦材を小板で押え付けて止めることができ、支持具の屋外側角部保持部で曲り継手本体の屋外側係止部をしっかりと保持できる。
【００２６】
請求項３記載の発明は、屋外側角部保持部の屋外側端面が円弧状になされているから、曲り継手本体の係止孔に支持具の屋外側角部保持部を差し込み、気温の変化による熱収縮で曲り継手本体が移動しても、角部が当たらず、曲り継手本体の係止孔の内周面に応力集中して、白化するようなことがない。
【００２７】
請求項４記載の発明は、支持具の固定部は二股に分けられ、この二股に分けられた固定部の一片と他片に取付孔が開けられ、一片の取付孔の位置と他片の取付孔の位置とが垂直方向にずれているから、軒先に支持具の二股に分かれている固定部を取り付ける際、取付孔に釘やビス等を差し込んでも、一片の取付孔からの釘やビスの先端部と他片の取付孔からの釘やビスの先端部とが当たらず、軒先に打ち付けて支持具の固定部を軒先に取り付けることができる。
【００２８】
請求項５記載の発明は、支持具の固定部は二股に分けられ、この二股に分けられた固定部の根元部分で、一片と他片の内側面と軒先の取付面とに隙間が設けられているから、固定部の根元部分が当接する軒先の出隅部の角部の近傍が変形していたり、表面が凹凸になっていても、固定部の根元部分の一片と他片の内側面に当たらず、二股に分けられた固定部の先端部が軒先に当たり、釘やビス等で支持具の固定部を軒先に取り付けることができる。
【００２９】
請求項６記載の発明は、曲り継手本体には、屋外側角部の上端部に屋内側角部に向けて先端部が二股に分かれた屋外側係止部と、屋内側角部の上端部に係止爪を有する屋内側係止部とが設けられ、支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられ、屋外側角部保持部は腕部方向のほぼ中央部にスリットが設けられているから、曲り継手本体の屋外側角部（出隅部）で曲り継手本体の屋外側係止部を下方から屋外側角部保持部のスリットに差し込んで、屋外側角部保持部の逆Ｌ字体で二股に分かれた屋外側係止部を掴むようにして、曲り継手本体の屋外側係止部を支持具の屋外側角部保持部に取り付け、曲り継手本体の屋内側角部（入隅部）で曲り継手本体の係止爪を支持具の係止片に引っ掛けることによって、曲り継手本体の屋外側（出隅側）と屋内側（入隅側）とを支持具の屋外側と屋内側のとでしっかりと支持し、気温の変化に伴って起こる変形を抑えることができる。
【００３０】
又、支持具の腕部の屋外側先端に屋外側角部保持部と、屋内側に係止片とが設けられているから、屋外側角部保持部と係止片の２箇所で支持するだけで、しかも、曲り継手本体の屋外側係止部の二股に分かれた根元部近傍を下方から支持具の屋外側角部保持部のスリット部に差し込んで、屋外側角部保持部の逆Ｌ字体で屋外側係止部を掴んでおり、又、支持具の係止片に曲り継手本体の係止爪を引っ掛けて支持しており、支持する幅も狭くとることができ、支持具自体を小さくすることができる。
【００３１】
請求項７記載の発明は、屋外側角部保持部は腕部方向のほぼ中央部のスリットの内側に突部が設けられているから、曲り継手本体の屋外側角部（出隅部）で曲り継手本体の屋外側係止部を下方から屋外側角部保持部のスリット部に差し込んで、曲り継手本体を回動させながら、曲り継手本体を支持具に取り付ける際、曲り継手本体の屋外側係止部の屋内側角部方向へのすべりを突部でとめることができる。
【００３２】
【発明の実施の形態】
以下，本発明の一実施例を図１〜図５により詳述する。
図１の（イ）は曲り継手本体の斜視説明図、（ロ）は支持具の断面説明図、図２の（イ）は軒先に曲り継手が取り付けられている状態を示す説明図、（ロ）は（イ）の要部Ａで曲り継手本体の屋外側係止部に支持具の屋外側角部保持部が取り付けられている状態を示す説明図、（ハ）は（イ）の要部Ｂで曲り継手本体の屋内側係止部の係止爪が支持具の係止片に引っ掛けられている状態を示す説明図、図３は支持具の屋外側先端と屋内側の係止片の先端の形状が円弧状になされている状態を示す説明図、図４の（イ）は支持具の固定部が二股に分かれ、一片と他片の取付孔に固定具が差し込まれている状態を示す説明図、（ロ）は一片と他片の取付孔の位置が垂直方向にずれている状態を示す説明図、図５は支持具の固定部が二股に分かれ、一片と他片の内側面と軒先の取付面との間に隙間が設けられている状態を示す説明図である。
【００３３】
図１及び図２において，Ｍは曲り継手であり、この曲り継手Ｍは合成樹脂（例えば硬質塩化ビニール樹脂）製のものであり、曲り継手本体１と支持具２とからなっている。
曲り継手本体１は略Ｌ字型に形成され、軒樋３、３を嵌合可能な軒樋嵌合部１１、１１が両端に設けられ、この軒樋嵌合部１１、１１にはパッキング１２、１２が貼り付けられ、軒樋嵌合部１１、１１の上端部には押え片１３、１３．．が設けられている。
又、この曲り継手本体１の屋外側角部の上端部には屋外側係止部１４と、屋内側角部の上端部に屋内側係止部１５とが設けられている。
【００３４】
屋外側係止部１４は、曲り継手本体１の互いに直交する屋外側側壁間を繋ぐ円弧状の小棒１７と、この小棒１７の屋外側に小棒１７と屋外側側壁間に三角形状の開口部である係止孔１８からなっている。
屋内側係止部１５は、曲り継手本体１の互いに直交する屋内側側壁の先端より屋内側に向けて鉤状に突設された係止爪１６からなっている。
【００３５】
支持具２は、固定部２１と、この固定部２１から屋外方向に長く突出した腕部２２と、腕部２２の屋外側先端に屋外側角部保持部２３と、この屋外側角部保持部２３より屋内側に曲り継手本体１の屋内側角部の係止爪１６を引っ掛ける係止片２４と、押え部材２５とからなっている。
屋外側角部保持部２３は、腕部２２の屋外側先端から上方に向けて先端部が屋内側角部に向くようにした鉤状体２６が設けられている。図３に示すように、この鉤状体２６の屋外側先端面は円弧状になされている。
係止片２４は固定部２１から屋外側に向けて斜め上向きに突設し、図３に示すように、この係止片２４の屋外側先端面は円弧状になされている。押え部材２５は屋内側に向けて斜め上向きに突設し、係止片２４と相対している。
【００３６】
曲り継手本体１の係止孔１８に支持具２の腕部２２の屋外側先端の鉤状体２６を下方から差し込んで、鉤状体２６を小棒１７に引っ掛けて、支持具２の屋外側角部保持部２３を曲り継手本体１の屋外側係止部１４に係止し、曲り継手本体１の係止爪１６を支持具２の係止片２４に引っ掛けて、支持具２の係止片２４に曲り継手本体１の屋内側係止部１５を係止できるようになされている。
【００３７】
又、図４に示すように、支持具２の固定部２１は屋内側先端部がほぼ直交する形で二股に分けられており、一片と他片のほぼ中央部に垂直に２個づつに取付孔２７、２７．．が開けられ、一片の取付孔と他片の取付孔２７、２７．．とは垂直方向にずれている。
【００３８】
又、図５に示すように、支持具２の固定部２１の二股に分かれた一片と他片の内側面で二股の根元部分には切欠部２８が設けられ、固定部２１が軒先に固定具で取り付けられたとき、軒先のコーナー部が変形していたり、凹凸があった場合でも二股に分かれた一片と他片の先端部を軒先に当接して、取り付けることができるようになされている。
【００３９】
次に，この曲り継手Ｍの取付方法と作用を説明する。
曲り継手Ｍの支持具２の固定部２１を釘やビス等の固定具で軒先の出隅部にとりつける。
次に、曲り継手本体１の屋外側角部の係止孔１８に支持具２の腕部２２の屋外側先端の鉤状体２６が下方から差し込んで、曲り継手本体１の屋外側係止部１４を支持具２の屋外側角部保持部２３に取り付ける。
次に、曲り継手本体１の屋内側角部の係止爪１６を支持具２の係止片２４と押え部材２５の間に差し込んで、係止爪１６を係止片２４に引っ掛けて、支持具２の係止片２４に曲り継手本体１の屋内側係止部１５を取り付ける。
【００４０】
次に，曲り継手本体１のパッキング１２が貼り付けられた一方の軒樋嵌合部１１に一方の軒樋３を嵌めて、軒樋嵌合部１１の上端部の押え片１３、１３で軒樋３の両耳部を押えて取り付ける。
次に，曲り継手本体１のパッキング１２が貼り付けられた他方の軒樋嵌合部１１に他方の軒樋３を嵌めて、軒樋嵌合部１１の上端部の押え片１３、１３で軒樋３の両耳部を押えて取り付ける。
このようにして、軒樋を順次接続し、軒先に軒樋を取り付け、曲り継手Ｍを家屋の軒先の出隅部にとりつける。
【００４１】
このようにすると、本発明の曲り継手Ｍでは、曲り継手本体１には、屋外側角部の上端部に係止孔１８を有する屋外側係止部１４と、屋内側角部の上端部に係止爪１６を有する屋内側係止部１５とが設けられ、支持具２には、固定部２１と、この固定部２１から屋外方向に長く突出した腕部２２と、腕部２２の屋外側先端に鉤状体２６と、この鉤状体２６より屋内側に屋内側角部の係止爪１６を引っ掛ける係止片２４とが設けられているから、曲り継手本体１の屋外側角部（出隅部）で曲り継手本体１の係止孔１８に支持具２の鉤状体２６を差し込み、鉤状体２６を屋外側係止部１４の小棒１７に引っ掛け、曲り継手本体１の屋内側角部（入隅部）で曲り継手本体１の係止爪１６を支持具２の係止片２４に引っ掛けることによって、曲り継手本体１の屋外側（出隅側）と屋内側（入隅側）とを支持具２の屋外側と屋内側のとでしっかりと支持し、気温の変化に伴って起こる変形を抑えることができる。
【００４２】
又、支持具２の腕部２２の屋外側先端の屋外側角部保持部２３の鉤状体２６と、屋内側に係止片２４とが設けられているから、鉤状体２６と係止片２４の２箇所で支持するだけで、しかも、支持具２の鉤状体２６で曲り継手本体１の屋外側係止部１４を引っ掛け、又、支持具２の係止片２４に曲り継手本体１の係止爪１６を引っ掛けて支持しており、支持する幅も狭くとることができ、支持具２自体を小さくすることができる。
【００４３】
又、屋外側角部保持部２３の屋外側端面が円弧状になされているから、曲り継手本体１の係止孔１８に支持具２の屋外側角部保持部２３を差し込み、気温の変化による熱収縮で曲り継手本体１が移動しても、角部が当たらず、曲り継手本体１の係止孔１８の内周面に応力集中して、白化するようなことがない。
【００４４】
又、支持具２の固定部２１は二股に分けられ、この二股に分けられた固定部２１の一片と他片に取付孔が開けられ、一片の取付孔２７の位置と他片の取付孔２７の位置とが垂直方向にずれているから、軒先２９に支持具２の二股に分かれている固定部２１を取り付ける際、取付孔２７に釘やビス等を差し込んでも、一片の取付孔２７からの釘やビスの先端部と他片の取付孔２７からの釘やビスの先端部とが当たらず、軒先２９に打ち付けて支持具２の固定部２１を軒先２９に取り付けることができる。
【００４５】
又、支持具２の固定部２１は二股に分けられ、この二股に分けられた固定部２１の根元部分で、一片と他片の内側面と軒先２９の取付面とに隙間が設けられているから、固定部２１の根元部分が当接する軒先２９の出隅部の角部の近傍が変形していたり、表面が凹凸になっていても、固定部２１の根元部分の一片と他片の内側面に当たらず、二股に分けられた固定部２１の先端部が軒先２９に当たり、釘やビス等で支持具２の固定部２１を軒先２９に取り付けることができる。
【００４６】
次に，本発明の他の実施例を図６及び図７により詳述する。
図６の（イ）は曲り継手本体の斜視説明図、（ロ）は支持具の断面説明図、（ハ）は支持具の先端部にＴ字形部材が設けられ、このＴ字形部材を屋外側部から見た説明図、図７の（イ）は軒先に曲り継手が取り付けられている状態を示す説明図、（ロ）は（イ）の要部Ｃで曲り継手本体の屋外側係止部に支持具の屋外側角部保持部が取り付けられている状態を示す説明図、（ハ）は（イ）の要部Ｄで曲り継手本体の屋内側係止部の係止爪が支持具の係止片に引っ掛けられている状態を示す説明図である。
【００４７】
図１の一実施例の曲り継手Ｍとは、曲り継手本体の屋外側角部の上端部に小板と、支持具の先端部にＴ字形部材とが設けられていることと、曲り継手本体の屋内側係止部が鉤状でなく、逆Ｌ字状になされていることが異なるだけで、その他の曲り継手Ｎの構造及び作用については、一実施例の曲り継手Ｍとほとんど同様であり、異なっている構造を説明し、その他の構造、取付方法及び作用についての説明は省略する。
【００４８】
図６及び図７において，Ｎは曲り継手であり、この曲り継手Ｎは合成樹脂（例えば硬質塩化ビニール樹脂）製のものであり、曲り継手本体１ａと支持具２ａとからなっている。
この曲り継手本体１ａの屋外側角部の上端部には屋外側係止部１４ａと、屋内側角部の上端部に屋内側係止部１５ａとが設けられている。
【００４９】
屋外側係止部１４ａは、曲り継手本体１ａの互いに直交する屋外側側壁間を繋ぐ円弧状の小棒１７ａと、この小棒１７ａの屋外側に小棒１７ａと屋外側側壁間に三角形状の開口部である係止孔１８ａと、この係止孔１８ａの屋外側で互いに直交する側壁間に三角形状の小板１９とからなっている。
この係止孔１８ａの大きさは、支持具２ａ（後述説明）の屋外側角部保持部２３ａと、屋外側角部保持部２３ａの先端のＴ字形部材４の横材４１が嵌まり、がたつかない程度になされている。
又、Ｔ字形部材４の縦材４２の上面が小板１９の下面に当接して、縦材４２が小板１９に引っ掛けられ、支持具２ａで曲り継手本体１ａの屋外側係止部１４ａを保持できるようになされている。
【００５０】
屋内側係止部１５ａは、曲り継手本体１ａの互いに直交する屋内側側壁の上端より逆Ｌ字状の係止爪１６ａが設けられ、逆Ｌ字状の係止爪１６ａの横材の先端部が屋内側に向けられている。
この逆Ｌ字状の係止爪１６ａが支持具２ａ（後述説明）の係止片２４ａと押え部材２５ａとの間に差し込まれ、係止爪１６ａの横材の下面と係止片２４ａの上面とが当接されるようになれている。
【００５１】
支持具２ａには、屋外側角部保持部２３ａの屋外側端面に屋外側方に向けて断面形状がＴ字形部材４と、屋内側部に固定部２１ａより屋内側に向けてほぼ直角三角形状で上面はほぼ水平になされた係止片２４ａとが設けられている。
このＴ字形部材４は横材４１と縦材４２とからなっており、縦材４２が横材４１より屋外側に突き出されている。
【００５２】
次に，この曲り継手Ｎの取付方法はほとんど一実施例の曲り継手Ｍと同じであり、下記の点を除き、その他の点は省略する。
曲り継手本体１ａの屋外側角部の係止孔１８ａに、支持具２ａの屋外側角部保持部２３ａと、屋外側角部保持部２３ａの先端のＴ字形部材４の横材４１を嵌め込んで、Ｔ字形部材４の縦材４２の上面と小板１９の下面を当接させて、縦材４２を小板１９に引っ掛け、支持具２ａで曲り継手本体１ａの屋外側係止部１４ａに取り付ける。
【００５３】
次に、曲り継手本体１ａの屋内側角部の逆Ｌ字状の係止爪１６ａを支持具２ａの係止片２４ａと押え部材２５ａの間に差し込んで、係止爪１６ａの横材の下面と係止片２４ａの上面とを当接し、支持具２ａの係止片２４ａに曲り継手本体１の屋内側係止部１５ａを取り付ける。
このようにして、軒樋を順次接続し、軒先に軒樋を取り付け、曲り継手Ｎを家屋の軒先の出隅部にとりつける。
【００５４】
このようにすると、本発明の曲り継手Ｎでは、曲り継手本体１ａの屋外側角部の上端部の係止孔１８ａの屋外側で互いに直交する側壁間に三角形状の小板１９を設け、支持具２ａの屋外側角部保持部２３ａの屋外側端面に屋外側方に向けて断面形状がＴ字形部材４が設けられて、このＴ字形部材４の縦材４２が横材４１より屋外側に突き出ているから、曲り継手本体１ａの屋外側角部の上端部の係止孔１８ａに、支持具２ａの屋外側角部保持部２３ａの上端部とＴ字形部材４の横材４１とを嵌め込んで、Ｔ字形部材４の縦材４２の横材４１より屋外側に突き出ている部分の上面を三角形状の小板１９の下面に当接することによって、支持具２ａの水平方向の動きが小板１９と小棒１７ａで止めることができる
又、上方向の動きをＴ字形部材４の縦材４２を小板１９で押え付けて止めることができ、支持具２ａの屋外側角部保持部２３ａで曲り継手本体１ａの屋外側係止部１４ａをしっかりと保持できる。
【００５５】
又、支持具２ａの腕部２２ａの屋外側先端に屋外側角部保持部２３ａの係止爪１６ａと、屋内側に係止片２４ａとが設けられているから、係止爪１６ａと係止片２４ａの２箇所で支持するだけで、しかも、支持具２ａの係止爪１６ａで曲り継手本体１ａの屋外側係止部１４ａを引っ掛け、又、支持具２ａの係止片２４ａに曲り継手本体１ａの係止爪１６ａを引っ掛けて支持しており、支持する幅も狭くとることができ、支持具２ａ自体を小さくすることができる。
【００５６】
次に，本発明の別の実施例を図８及び図９により詳述する。
図８の（イ）は軒先に曲り継手Ｔが取り付けられている状態を示す説明図、（ロ）は屋外側係止部の屋内側先端部の斜視説明図、（ハ）は支持具の屋外側先端部でスリットの内側に突部が設けられている状態を示す斜視説明図、（ニ）は（イ）の要部Ｅで曲り継手本体の屋外側係止部に支持具の屋外側角部保持部が取り付けられている状態を示す説明図、（ホ）は（イ）の要部Ｆで曲り継手本体の屋内側係止部の係止爪が支持具の係止片に当接している状態を示す説明図、図９は曲り継手本体の屋外側係止部を支持具の屋外側先端部でスリットに差し込んで、回動させてスリットの内側の突部で止まる状態を示す断面説明図である。
【００５７】
図１の一実施例の曲り継手Ｍとは、曲り継手本体の屋外側係止部の形状と、支持具の屋外側角部保持部の形状が異なるだけで、その他の曲り継手Ｔの構造及び作用については、一実施例の曲り継手Ｍとほとんど同様であり、異なっている構造を説明し、その他の構造、取付方法及び作用についての説明は省略する。
【００５８】
図８において，Ｔは曲り継手であり、この曲り継手Ｎは合成樹脂（例えば硬質塩化ビニール樹脂）製のものであり、曲り継手本体１ｂと支持具２ｂとからなっている。
この曲り継手本体１ｂの屋外側角部の上端部には屋外側係止部１４ｂと、屋内側角部の上端部に屋内側係止部１５ｂとが設けられている。
【００５９】
屋外側係止部１４ｂは、曲り継手本体１ｂの屋外側角部より屋内側角部方向に突設された帯状のＹ字部材４６からなっており、先端部が二股にわかれ、一片と他片がほぼ直角になされている。
【００６０】
支持具２ｂの屋外側角部保持部２３ｂは、腕部２２ｂの屋外側先端部に上方に向けた逆Ｌ字体４３を設けて、逆Ｌ字体４３の先端部を屋内側角部に向け、逆Ｌ字体４３のほぼ中央部の腕部方向にスリット部４４を設けて、屋外側角部保持部２３ｂとされている。このスリット部４４の屋内角部側近傍に突部４５が設けられている。
【００６１】
屋外側角部保持部２３ｂのスリット部４４に、曲り継手本体１ｂに取り付けられたＹ字部材４６の二股に分かれる手前部分を差し込んで、図８の（ニ）に示すように、二股に分かれた一片と他片とを逆Ｌ字体４３で掴むようになされている。
又、図９に示すように、曲り継手本体１ｂの屋外側係止部１４ｂのＹ字部材４６を回動させて、曲り継手本体１ｂの屋外側係止部１４ｂと支持具２ｂの屋外側角部保持部２３ｂとを取り付けるとき、突部４５でＹ字部材４６が屋内側角部方向へすべらないようになされている。
【００６２】
屋内側係止部１５ｂは、曲り継手本体１ｂの互いに直交する屋内側側壁の上端より逆Ｌ字状の係止爪１６ｂが設けられ、逆Ｌ字状の係止爪１６ｂの横材の先端部が屋内側に向けられている。
この逆Ｌ字状の係止爪１６ｂが支持具２ｂの係止片２４ｂと押え部材２５ｂとの間に差し込まれ、係止爪１６ｂの横材の下面と係止片２４ｂの上面とが当接されるようになれている。
【００６３】
次に，この曲り継手Ｔの取付方法はほとんど一実施例の曲り継手Ｍと同じであり、下記の点を除き、その他の点は省略する。
曲り継手本体１ｂの屋外側係止部１４ｂのＹ字部材４６の二股に分かれる手前部分を、支持具２ｂの屋外側角部保持部２３ｂのスリット部４４に差し込んで、Ｙ字部材４６を下方に回動させながら、曲り継手本体１ｂの屋外側係止部１４ｂと支持具２ｂの屋外側角部保持部２３ｂとを取り付ける。
【００６４】
次に、曲り継手本体１ｂの屋内側角部の逆Ｌ字状の係止爪１６ｂを支持具２ｂの係止片２４ｂと押え部材２５ｂの間に差し込んで、係止爪１６ｂの横材の下面と係止片２４ｂの上面とを当接し、支持具２ｂの係止片２４ｂに曲り継手本体１の屋内側係止部１５ｂを取り付ける。
このようにして、軒樋を順次接続し、軒先に軒樋を取り付け、曲り継手Ｔを家屋の軒先の出隅部にとりつける。
【００６５】
このようにすると、曲り継手本体１ｂには、屋外側角部の上端部に屋内側角部に向けて先端部が二股に分かれた屋外側係止部１４ｂと、屋内側角部の上端部に係止爪１６ｂを有する屋内側係止部１５ｂとが設けられ、支持具２ｂには、固定部（図示省略）と、この固定部から屋外方向に長く突出した腕部２２ｂと、腕部２２ｂの屋外側先端に屋外側角部保持部２３ｂと、この屋外側角部保持部２３ｂより屋内側に屋内側角部の係止爪１６ｂを引っ掛ける係止片２４ｂとが設けられ、屋外側角部保持部２３ｂは腕部２２ｂ方向のほぼ中央部にスリット部４４が設けられているから、曲り継手本体１ｂの屋外側角部（出隅部）で曲り継手本体１ｂの屋外側係止部１４ｂを下方から屋外側角部保持部２３ｂのスリット部４４に差し込んで、屋外側角部保持部２３ｂの逆Ｌ字体４３で二股に分かれた屋外側係止部１４ｂを掴むようにして、曲り継手本体１ｂの屋外側係止部１４ｂを支持具２ｂの屋外側角部保持部２３ｂに取り付け、曲り継手本体１ｂの屋内側角部（入隅部）で曲り継手本体１ｂの係止爪１６ｂを支持具２ｂの係止片２４ｂに引っ掛けることによって、曲り継手本体１ｂの屋外側（出隅側）と屋内側（入隅側）とを支持具の屋外側と屋内側のとでしっかりと支持し、気温の変化に伴って起こる変形を抑えることができる。
【００６６】
又、支持具１ｂの腕部２２ｂの屋外側先端に屋外側角部保持部２３ｂと、屋内側に係止片２４ｂとが設けられているから、屋外側角部保持部２３ｂと係止片２４ｂの２箇所で支持するだけで、しかも、曲り継手本体１ｂの屋外側係止部の二股に分かれた根元部近傍を下方から支持具２ｂの屋外側角部保持部２３ｂのスリット部４４に差し込んで、屋外側角部保持部２３ｂの逆Ｌ字体で屋外側係止部１４ｂを掴んでおり、又、支持具２ｂの係止片２４ｂに曲り継手本体１ｂの係止爪１６ｂを引っ掛けて支持しており、支持する幅も狭くとることができ、支持具自体を小さくすることができる。
【００６７】
又、屋外側角部保持部２３ｂは腕部２２ｂ方向のほぼ中央部のスリット部４４の内側に突部４５が設けられているから、曲り継手本体１ｂの屋外側角部（出隅部）で曲り継手本体１ｂの屋外側係止部１４ｂを下方から屋外側角部保持部２３ｂのスリット部４４に差し込んで、曲り継手本体１ｂを回動させながら、曲り継手本体１ｂを支持具２ｂに取り付ける際、曲り継手本体１ｂの屋外側係止部１４ｂの屋内側角部方向へのすべりを突部４５で止めることができる。
【００６８】
以上、本発明の実施例を図面により詳述してきたが、具体的な構成はこの実施例に限られるものではなく、本発明の要旨を逸脱しない範囲における設計変更等があっても本発明に含まれる。
【００６９】
【発明の効果】
以上説明してきたように、請求項１記載の発明は、曲り継手本体には、屋外側角部の上端部に係止孔を有する屋外側係止部と、屋内側角部の上端部に係止爪を有する屋内側係止部とが設けられ、支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられているから、曲り継手本体の屋外側角部（出隅部）で曲り継手本体の係止孔に支持具の屋外側角部保持部が差し込み、屋外側角部保持部を屋外側係止部に引っ掛け、曲り継手本体の屋内側角部（入隅部）で曲り継手本体の係止爪を支持具の係止片に引っ掛けることによって、曲り継手本体の屋外側（出隅側）と屋内側（入隅側）とを支持具の屋外側と屋内側のとでしっかりと支持し、気温の変化に伴って起こる変形を抑えることができ、軒樋嵌合部に隙間ができず、漏水することがなく、又、伸縮による変形で掴んでいる耳部が外れることがない。
【００７０】
又、支持具の腕部の屋外側先端に屋外側角部保持部と、屋内側に係止片とが設けられているから、屋外側角部保持部と係止片の２箇所で支持するだけで、しかも、支持具の屋外側角部保持部で曲り継手本体の屋外側係止部を引っ掛け、又、支持具の係止片に曲り継手本体の係止爪を引っ掛けて支持しており、支持する幅も狭くとることができ、支持具自体を小さくすることができ、嵩張って持ち運びに手間がかかることがない。
【００７１】
請求項２記載の発明は、曲り継手本体の屋外側角部の上端部の係止孔の屋外側で、互いに直交する側壁間に、三角形状の小板が設けられ、支持具の屋外側角部保持部の屋外側端面に、屋外側方に向けて断面形状がＴ字形部材が設けられて、このＴ字形部材の縦材が横材より屋外側に突き出ているから、曲り継手本体の屋外側角部の上端部の係止孔に支持具の屋外側角部保持部の上端部とＴ字形部材の横材とを嵌め込んで、Ｔ字形部材の縦材の横材より屋外側に突き出ている部分の上面を三角形状の小板の下面に当接することによって、支持具の水平方向の動きが小板と小棒で止めることができ、又、上方向の動きをＴ字形部材の縦材を小板で押え付けて止めることができ、支持具の屋外側角部保持部で曲り継手本体の屋外側係止部をしっかりと保持でき、軒樋嵌合部に隙間ができず、漏水することがなく、又、伸縮による変形で掴んでいる耳部が外れることがない。
【００７２】
請求項３記載の発明は、屋外側角部保持部の屋外側端面が円弧状になされているから、曲り継手本体の係止孔に支持具の屋外側角部保持部を差し込み、気温の変化による熱収縮で曲り継手本体が移動しても、角部が当たらず、曲り継手本体の係止孔の内周面に応力集中して、白化するようなことがない。
【００７３】
請求項４記載の発明は、支持具の固定部は二股に分けられ、この二股に分けられた固定部の一片と他片に取付孔が開けられ、一片の取付孔の位置と他片の取付孔の位置とが垂直方向にずれているから、軒先に支持具の二股に分かれている固定部を取り付ける際、取付孔に釘やビス等を差し込んでも、一片の取付孔からの釘やビスの先端部と他片の取付孔からの釘やビスの先端部とが当たらず、軒先に打ち付けて支持具の固定部を軒先に取り付けることができる。
【００７４】
請求項５記載の発明は、支持具の固定部は二股に分けられ、この二股に分けられた固定部の根元部分で、一片と他片の内側面と軒先の取付面とに隙間が設けられているから、固定部の根元部分が当接する軒先の出隅部の角部の近傍が変形していたり、表面が凹凸になっていても、固定部の根元部分の一片と他片の内側面に当たらず、二股に分けられた固定部の先端部が軒先に当たり、釘やビス等で支持具の固定部を軒先に取り付けることができる。
【００７５】
請求項６記載の発明は、曲り継手本体には、屋外側角部の上端部に屋内側角部に向けて先端部が二股に分かれた屋外側係止部と、屋内側角部の上端部に係止爪を有する屋内側係止部とが設けられ、支持具には、固定部と、この固定部から屋外方向に長く突出した腕部と、腕部の屋外側先端に屋外側角部保持部と、この屋外側角部保持部より屋内側に屋内側角部の係止爪を引っ掛ける係止片とが設けられ、屋外側角部保持部は腕部方向のほぼ中央部にスリットが設けられているから、曲り継手本体の屋外側角部（出隅部）で曲り継手本体の屋外側係止部を下方から屋外側角部保持部のスリットに差し込んで、屋外側角部保持部の逆Ｌ字体で二股に分かれた屋外側係止部を掴むようにして、曲り継手本体の屋外側係止部を支持具の屋外側角部保持部に取り付け、曲り継手本体の屋内側角部（入隅部）で曲り継手本体の係止爪を支持具の係止片に引っ掛けることによって、曲り継手本体の屋外側（出隅側）と屋内側（入隅側）とを支持具の屋外側と屋内側のとでしっかりと支持し、気温の変化に伴って起こる変形を抑えることができ、軒樋嵌合部に隙間ができず、漏水することがなく、又、伸縮による変形で掴んでいる耳部が外れることがない。
【００７６】
又、支持具の腕部の屋外側先端に屋外側角部保持部と、屋内側に係止片とが設けられているから、屋外側角部保持部と係止片の２箇所で支持するだけで、しかも、曲り継手本体の屋外側係止部の二股に分かれた根元部近傍を下方から支持具の屋外側角部保持部のスリット部に差し込んで、屋外側角部保持部の逆Ｌ字体で屋外側係止部を掴んでおり、又、支持具の係止片に曲り継手本体の係止爪を引っ掛けて支持しており、支持する幅も狭くとることができ、支持具自体を小さくすることができ、嵩張って持ち運びに手間がかかることがない。
【００７７】
請求項７記載の発明は、屋外側角部保持部は腕部方向のほぼ中央部のスリットの内側に突部が設けられているから、曲り継手本体の屋外側角部（出隅部）で曲り継手本体の屋外側係止部を下方から屋外側角部保持部のスリット部に差し込んで、曲り継手本体を回動させながら、曲り継手本体を支持具に取り付ける際、曲り継手本体の屋外側係止部の屋内側角部方向へのすべりを突部でとめることができる。
【図面の簡単な説明】
【図１】本発明の一実施例を示すもので、（イ）は曲り継手本体の斜視説明図、（ロ）は支持具の断面説明図である。
【図２】本発明の一実施例を示すもので、（イ）は軒先に曲り継手が取り付けられている状態を示す説明図、（ロ）は（イ）の要部Ａで曲り継手本体の屋外側係止部に支持具の屋外側角部保持部が取り付けられている状態を示す説明図、（ハ）は（イ）の要部Ｂで曲り継手本体の屋内側係止部の係止爪が支持具の係止片に引っ掛けられている状態を示す説明図である。
【図３】本発明の一実施例を示すもので、支持具の屋外側先端と屋内側の係止片の先端の形状が円弧状になされている状態を示す説明図である。
【図４】本発明の一実施例を示すもので、（イ）は支持具の固定部が二股に分かれ、一片と他片の取付孔に固定具が差し込まれている状態を示す説明図、（ロ）は一片と他片の取付孔の位置が垂直方向にずれている状態を示す説明図である。
【図５】本発明の一実施例を示すもので、支持具の固定部が二股に分かれ、一片と他片の内側面と軒先の取付面との間に隙間が設けられている状態を示す説明図である。
【図６】本発明の他の実施例を示すもので、（イ）は曲り継手本体の斜視説明図、（ロ）は支持具の断面説明図、（ハ）は支持具の先端部にＴ字形部材が設けられ、このＴ字形部材を屋外側部から見た説明図である。
【図７】本発明の他の実施例を示すもので、（イ）は軒先に曲り継手が取り付けられている状態を示す説明図、（ロ）は（イ）の要部Ｃで曲り継手本体の屋外側係止部に支持具の屋外側角部保持部が取り付けられている状態を示す説明図、（ハ）は（イ）の要部Ｄで曲り継手本体の屋内側係止部の係止爪が支持具の係止片に引っ掛けられている状態を示す説明図である。
【図８】本発明の別の実施例を示すもので、（イ）は軒先に曲り継手Ｔが取り付けられている状態を示す説明図、（ロ）は屋外側係止部の屋内側先端部の斜視説明図、（ハ）は支持具の屋外側先端部でスリットの内側に突部が設けられている状態を示す斜視説明図、（ニ）は（イ）の要部Ｅで曲り継手本体の屋外側係止部に支持具の屋外側角部保持部が取り付けられている状態を示す説明図、（ホ）は（イ）の要部Ｆで曲り継手本体の屋内側係止部の係止爪が支持具の係止片に当接している状態を示す説明図である。
【図９】本発明の別の実施例を示すもので、曲り継手本体の屋外側係止部を支持具の屋外側先端部でスリットに差し込んで、回動させてスリットの内側の突部で止まる状態を示す断面説明図である。
【符号の説明】
Ｍ、Ｎ、Ｔ                      曲り継手
１、１ａ、１ｂ                  曲り継手本体
１１                            軒樋嵌合部
１２                            パッキング
１３                            押え片
１４、１４ａ、１４ｂ            屋外側係止部
１５、１５ａ、１５ｂ            屋内側係止部
１６、１６ａ、１６ｂ            係止爪
１７、１７ａ                    小棒
１８、１８ａ                    係止孔
１９                            小板
２、２ａ、２ｂ                  支持具
２１、２１ａ                    固定部
２２、２２ａ                    腕部
２３、２３ａ、２３ｂ            屋外側角部保持部
２４、２４ａ、２４ｂ            係止片
２５、２５ａ、２５ｂ            押え部材
２６                            鉤状体
２７                            取付孔
２８                            切欠部
２９                            軒先
３                              軒樋
４                              Ｔ字体
４１                            横材
４２                            縦材
４３                            逆Ｌ字体
４４                            スリット部
４５                            突部
４６                            Ｙ字部材
【図１】
0004005697.tif 000002
【図２】
0004005697.tif 000003
【図３】
0004005697.tif 000004
【図４】
0004005697.tif 000005
【図５】
0004005697.tif 000006
【図６】
0004005697.tif 000007
【図７】
0004005697.tif 000008
【図８】
0004005697.tif 000009
【図９】
0004005697.tif 000010